(57)【特許請求の範囲】
【請求項１】
建築物の外壁等に形成の開口部に固設される枠体と、該枠体に支持機構の配在下に連繋される窓本体とを有して、窓本体を枠体に対して屋内側と屋外側との間でスライド移動し得るように設定されてなる突き出し窓において、窓本体の左右各部の中央部に連設される一対の本体側ブラケットと、該一対の本体側ブラケットに対応するように枠体に連設される一対の枠体側ブラケットと、先端が本体側ブラケットに回動可能に連結され先端部から後端部にかけてに形成されたガイド孔に左右の枠体側ブラケットに植設のガイドピンを挿通させてなる左右一対の揺動アームと、該一対の揺動アームの後端に連結されるハンドルと、揺動アームと枠体側ブラケットの間に設けた揺動停止機構とを有してなる突き出し窓のハンドル構造
【請求項２】
ガイド孔の後端にストッパ部が形成されてなる請求項１の突き出し窓のハンドル構造
【請求項３】
ガイド孔の先端から後端の間に中間ストッパ部が形成されてなる請求項１の突き出し窓のハンドル構造
【発明の詳細な説明】
【０００１】
【発明の属する技術分野】
この発明は、窓本体を枠体に対して屋内側と屋外側との間でスライド移動させて窓の開閉を可能にすると共に窓本体の枠体に対する閉成および開成を可能にする突き出し窓のハンドル構造の改良に関する。
【０００２】
【従来技術とその問題点】
周知のように、突き出し窓は、窓本体を立てたままの状態で枠体に対して屋内側と屋外側との間で突き出しおよび引き寄せるようにスライド移動させて、窓の開閉を可能にするように構成されている。
【０００３】
ところで、この種の突き出し窓にあっては、窓本体のスライド移動を可能にするように、たとえば、図６に示すように、窓本体Ｗと枠体Ｆとの間にパンタ機構からなる支持機構Ｓを設けるとしている。
【０００４】
一方、この種の突き出し窓は、従来、図７に示すように、窓本体Ｗの下辺部中央とこれに隣接する枠体Ｆの下辺部中央との間に設けたカムラッチＬが突き出し窓のハンドル構造を構成するとしている。
【０００５】
なお、このカムラッチＬは、これが窓本体Ｗの上辺部の中央に設けられることもあるが、その場合に、背の低い子供には手が届かなかったり、あるいは、操作しづらくなったりする等の不具合を度外視すれば、その機能するところは同様である。
【０００６】
すなわち、このカムラッチＬからなるハンドル構造にあっては、ラッチ部Ｌ１を回動して窓本体Ｗを枠体Ｆに対して開成あるいは閉成すると共に、窓本体Ｗの開成時にカムラッチＬのハンドル部Ｌ２を把持して窓本体Ｗを突き出しあるいは引き寄せることが可能になる。
【０００７】
ちなみに、このカムラッチＬにあっては、図７中に仮想線図で示すハンドル部Ｌ２が引き起こされたときが解錠の状態で、窓本体Ｗの開成を可能にし、図７中に実線図で示すハンドル部Ｌ２が倒されたときが施錠の状態で、窓本体Ｗの閉成を可能にする。
【０００８】
それゆえ、このカムラッチＬを利用して窓を開閉しようとする場合には、窓本体Ｗの下辺部に操作力が集中する状況になり、その結果、上記のパンタ機構からなる支持機構Ｓ、特に、上方の中央部および左右各部に配在されている支持機構Ｓに無理な力が作用することになり、このときに、各支持機構Ｓに歪みが発現される場合はもちろんであるが、総じて窓本体Ｗの円滑なスライド移動を容易に実現し難くなるおそれがある。
【０００９】
そして、窓本体Ｗを引き寄せて閉成する場合に、窓本体Ｗの下辺部に操作力が集中することになることから、反対側の窓本体Ｗの上辺部における気密性や水密性を確保し難くなり易いことになる。
【００１０】
一方、上記のカムラッチＬで窓本体Ｗを開成あるいは閉成する場合には、カムラッチＬのハンドル部Ｌ２を把持してラッチ部Ｌ１を回動させることになるが、このとき、ハンドル部Ｌ２は、窓本体Ｗの下辺部やこれに隣接する枠体Ｆの下辺部との間にわずかな余裕を有するのみで回動される。
【００１１】
その結果、ハンドル部Ｌ２の回動操作の際に、ハンドル部Ｌ２を把持する手が窓本体Ｗや枠体Ｆの下辺部に接触することがあり、甚だしい場合には、手に怪我をするおそれがあり、それを避けるために、十分な力を発揮できないままハンドル部Ｌ２を把持して回動操作をすることになる不具合がある。
【００１２】
また、カムラッチＬは、ラッチ部Ｌ１における摺接抵抗を超える力の作用で窓本体Ｗの開成及び閉成が可能になるように構成されているから、支持機構Ｓの歪みやラッチ部Ｌ１の錆帯び等で、また、窓本体Ｗと枠体Ｆとの間に配在のシール部材における弾発力が大きい等で上記の摺接抵抗が過大になる場合には、一般に非力とされる老人や婦女子等にとっては、極めて扱いづらいことになるばかりでなく、上記した手に怪我をする危険が増大される不具合がある。
【００１３】
さらに、言わば操作ミスに基づくことであるが、ハンドル部Ｌ２が十分に起立されていない状態でこれが引き寄せられる場合には、ラッチ部Ｌ１が枠体Ｆに衝突することになり、枠体Ｆが傷付く等の不都合を招くのはもちろんであるが、上記の衝突の繰り返し等で枠体Ｆに変形が招来される場合には、このカムラッチＬによる窓の閉成が不可能になる危惧もある。
【００１４】
この発明は、前記した事情に鑑みて創案されたもので、その目的とするところは、突き出し窓における窓本体の閉成および開成の各操作性を良くし、窓本体の突き出しおよび引き寄せの各操作を容易かつ安全になし得て、その汎用性の向上を期待するに最適となる突き出し窓のハンドル構造を提供することである。
【００１５】
【課題を解決するための手段】
上記の目的を達成するため、本発明の手段は、 建築物の外壁等に形成の開口部に固設される枠体と、該枠体に支持機構の配在下に連繋される窓本体とを有して、窓本体を枠体に対して屋内側と屋外側との間でスライド移動し得るように設定されてなる突き出し窓において、窓本体の左右各部の中央部に連設される一対の本体側ブラケットと、該一対の本体側ブラケットに対応するように枠体に連設される一対の枠体側ブラケットと、先端が本体側ブラケットに回動可能に連結され先端部から後端部にかけてに形成されたガイド孔に左右の枠体側ブラケットに植設のガイドピンを挿通させてなる左右一対の揺動アームと、該一対の揺動アームの後端に連結されるハンドルと、揺動アームと枠体側ブラケットの間に設けた揺動停止機構とを有してなることを特徴とするものである。
【００１６】
そして、ガイド孔の後端にストッパ部が形成されてなるとし、また、ガイド孔の先端から後端の間に中間ストッパ部が形成されてなるとする。
【００１８】
【発明の実施の形態】
以下、図示した実施の形態に基づいて、この発明を説明するが、この発明の一実施の形態による突き出し窓は、前記した図６を参考にして説明すれば、建築物（図示せず）の外壁等に形成の開口部（図示せず）に固設される枠体Ｆと、この枠体Ｆに支持機構Ｓの配在下に連繋される窓本体Ｗと有してなる。
【００１９】
また、この突き出し窓にあっては、窓本体Ｗと枠体Ｆとの間には、図示しないが、隙間を埋めるように気密防水用のシール部材が配在されるとしており、このシール部材は、弾性変形を可能にする弾性材で形成されている。
【００２０】
それゆえ、窓を閉成するには、シール部材の弾性力に抗するようにして窓本体Ｗを閉成することになり、その限りにおいて、窓本体Ｗは、シール部材の弾発力による附勢力を常に受けた状態、すなわち、開成傾向に附勢された状態で閉成状態におかれている。
【００２１】
支持機構Ｓは、たとえば、パンタ機構からなり、窓本体Ｗと枠体Ｆとの間の上下各部および左右各部のほぼ中央にそれぞれ配在されていて、窓本体Ｗを立てたままの状態で枠体Ｆに対して図６中で右側となる屋内側と図６中で左側となる屋外側との間で突き出しおよび引き寄せるようにスライド移動させて窓の開閉を可能にするように構成されている。
【００２２】
また、この突き出し窓におけるハンドル構造は、図１に示すように、本体側ブラケット１と、枠体側ブラケット２と、揺動アーム３と、ハンドル４とを有してなる。
【００２３】
そして、図２に示すように、ハンドル４が一本とされて室内側で突き出し窓の中央部を横切るように配在されるに対して、本体側ブラケット１（図示せず），枠体側ブラケット２（図示せず）および揺動アーム３がそれぞれ左右で一対とされて、ハンドル４の両端に各揺動アーム３が連結されると共に、各揺動アーム３に各枠体側ブラケット２が連繋しかつ各本体側ブラケット１が連結されるように設定されている。
【００２４】
以下に、図１を中心にして、本体側ブラケット１，枠体側ブラケット２，揺動アーム３およびハンドル４の各構成部材について説明する。
【００２５】
本体側ブラケット１は、窓本体Ｗの左右各部のほぼ中央部に固定的に連設されてなるもので、基端が窓本体Ｗに固設されて先端を屋内側に突出させるように延在させており、先端にこの先端を肉厚方向に貫通するようにして植設された枢着軸５を有している。
【００２６】
なお、枢着軸５は、これが本体側ブラケット１に植設されているのに代えて、後述する揺動アーム３に植設されているとしても良く、また、本体側ブラケット１あるいは揺動アーム３に植設、すなわち、固設されているのに代えて、回動可能に保持されているとしても良い。
【００２７】
枠体側ブラケット２は、上記一対の本体側ブラケット１に対応するように枠体Ｆの左右各部に屋内側から連設されてなるもので、基端が枠体Ｆに固設されて先端を屋内側に突出させるように延在させており、先端にこの先端を肉厚方向に貫通するようにして植設されたガイドピン６を有している。
【００２８】
なお、ガイドピン６は、図示する実施の形態にあって、単体のピンからなるとしているが、これに代えて、外周にローラを有するローラ付きピンとされても良く、このローラ付きピンとされる場合には、これが挿通される後述の揺動アーム３におけるガイド孔３ａに対する摺動抵抗が減ぜられ、操作性に優れることになる点で有利となる。
【００２９】
ちなみに、枠体側ブラケット２は、いわゆる函状に形成されて固着用ビス２ａや後述する揺動アーム３を挿通させると共に揺動アーム３の揺動を許容する開口２ｂを有する一方で、外周側にいわゆる化粧材としてのカバー部材７を有しており、このカバー部材７には上記開口２ｂを閉塞傾向にしながら揺動アーム３の挿通を許容するスリット状の開口７ａが形成されている。
【００３０】
なお、枠体側ブラケット２は、本体側ブラケット１と共に窓本体Ｗと枠体Ｆとの間の左右各部の中央部に配在されている支持機構Ｓといわゆる同レベルになるように配設されていることになるが、このとき、近隣する各支持機構Ｓに干渉せず、また、各支持機構Ｓの作動を阻害しないこともちろんである。
【００３１】
揺動アーム３は、先端が前記枢着軸５を介して本体側ブラケット１に回動可能に連結されると共に、後端が屋内側に臨在されるように配在され、かつ、先端部から後端部にかけてガイド孔３ａが形成されると共に、このガイド孔３ａには枠体側ブラケット２に植設の前記ガイドピン６を挿通させている。
【００３２】
上記ガイド孔３ａは、基本的には、上記枢着軸５に対して揺動アーム３を旋回させる円弧状部３ｂと、旋回の終了に引き続く揺動アーム３の前進及びその反転たる後退を可能にする直線部３ｃとを有している。
【００３３】
そして、ガイド孔３ａは、後端にストッパ部３ｄを有してなり、このストッパ部３ｄは、図示する実施の形態にあっては、上記直線部３ｃに対して揺動アーム３の図１中で右側辺となる上辺側に折れ曲がるように設定されている。
【００３４】
このストッパ部３ｄは、図３に示すように、揺動アーム３の後端が押し下げられるときに、上記ガイドピン６の侵入を許容し、このとき、いわゆるストッパ機能を発揮する。
【００３５】
また、後端には簡単に上昇してガイドピン６をストッパ部３ｄから脱出させることにならないように、図示するように、いわゆる係止部となる爪部３ｅ（図１，図３および図４参照）をストッパ部３ｄの入口に形成している。
【００３６】
そして、このストッパ部３ｄは、揺動アーム３の後端が強制的に引き上げられない限り、ガイドピン６を脱出させず、したがって、風圧や室外側からの外力で窓を閉めさせず、また、窓のガタつきをも阻止しながら突き出し窓の開放状態を維持する。
【００３７】
また、図１中に仮想線図で示すように、ガイド孔３ａにおける直線部３ｃの中間に上記ストッパ部３ｄと同様に設定された複数の中間ストッパ部３ｆを形成するとしても良く、この中間ストッパ部３ｆを複数形成することで、窓本体Ｗの枠体Ｆに対する半開き状態を実現できる。
【００３８】
さらに、ガイド孔３ａにおける円弧状部３ｂは、枢着軸５と同心に形成されるのではなく、枢着軸５に対して渦巻き状となるように形成されて、この円弧状部３ｂに臨在されるガイドピン６と枢着軸５との間の距離が揺動アーム３の引き上げ方向への旋回が進むに連れて大きくなるように設定されている。
【００３９】
その結果、図示する実施の形態にあって、揺動アーム３を引き上げ方向に旋回して窓を開成する際には、図４に示すように、揺動アーム３の旋回に連れて窓本体Ｗが枠体Ｆから徐々に離脱するようになり、その後の窓本体Ｗの枠体Ｆに対する突き出し動作を円滑に実現し得る態勢にすることになる。
【００４０】
また、図４に示す状態から、揺動アーム３を押し下げ方向に旋回して窓を閉成する際には、揺動アーム３が上記の渦巻き状の円弧状部３ｂに副って回動することになり、このとき、窓本体Ｗと枠体Ｆとの間に配在のシール部材における弾発力に抗して軽い操作力で窓本体Ｗを枠体Ｆに対して徐々に密着させ水密性および気密性を高めるようにすることが可能になる。
【００４１】
ハンドル４は、前記したように、屋内側でこの突き出し窓の中央部を横切るように配在されて上記一対の揺動アーム３の後端を連繋するもので、ハンドル構造における把持部を構成している。
【００４２】
ハンドル４は、利用者がこれを把持したときの感触からすれば、図示するように、楕円の断面を有する棒状に設定されると共に、両端が揺動アーム３に固設されるとしても良いが、断面を円形にして両端が揺動アーム３に対して回転可能に連結されるとし、また、図示しないが、外観や把持したときの感触を良好にするために周面に装飾を施したり、周面をカーブさせたりする等、自由な条件に設定して良いことはもちろんであり、材質も木，アルミおよび樹脂等、自由に設定できる。
【００４３】
以上のように形成されたこの発明による突き出し窓のハンドル構造では、図１に示す状態から、ハンドル４を把持して揺動アーム３の後端を引き上げるように操作すると、図４に示すように、枠体側ブラケット２に植設のガイドピン６が揺動アーム３に形成のガイド孔３ａにおける円弧状部３ｂに副って移動する状態になる。
【００４４】
このとき、円弧状部３ｂが渦巻き状に設定されていることで、ガイドピン６と本体側ブラケット１に植設の枢着軸５との間における距離が揺動アーム３の旋回が進むに連れて徐々に大きくなる。
【００４５】
その結果、このハンドル構造による場合には、ハンドル４をしかもその中央部を把持して引き上げるように操作するのみで、本体側ブラケット１、すなわち、窓本体Ｗが枠体側ブラケット２、すなわち、枠体Ｆから離脱して屋外側に突き出されるような状況になり、窓が開成されることになる。
【００４６】
そして、図４に示す状態から、ハンドル４を把持して揺動アーム３を屋外側に押し出すようにすると、ガイド孔３ａにおける直線部３ｃをガイドピン６が移動する状況になる。
【００４７】
このハンドル構造による場合には、上記に引き続きハンドル４を押し出すように操作するのみで、図３に示すように、ガイドピン６と上記枢着軸５との間における距離が一層大きくなり、窓本体Ｗが枠体Ｆに対して屋外側に大きく突き出される状態になり、窓が大きく開放された状態になる。
【００４８】
このとき、揺動アーム３を押し出す力たる操作力は、揺動アーム３を介して窓本体Ｗに連設の本体側ブラケット１に作用し、この本体側ブラケット１が連設されている窓本体Ｗの左右各部の中央部には、支持機構Ｓが同レベルに配在されているので、上記の揺動アーム３への操作力は、これが直接的に各支持機構Ｓに作用することになる。
【００４９】
その結果、窓を大きく開放する場合の操作力がいわゆる無理な状態で支持機構Ｓに作用する危惧がなくなり、支持機構Ｓの円滑な作動による窓の開放操作が可能になり、このとき、ガイド孔３ａにおけるストッパ部３ｄにガイドピン６が臨在されると、窓が大きく開放された状態の維持が可能になる。
【００５０】
上記したところと逆に、窓を閉成状態にするには、図３に示す状態から、ガイドピン６をストッパ部３ｄから離脱させ、揺動アーム３を屋内側に引き寄せるように操作する。
【００５１】
このとき、このハンドル構造による場合には、窓本体Ｗを引き寄せるようにする操作力も前記したところと同様に支持機構Ｓに直接的に作用するようになるので、窓の円滑な閉成操作が可能になる。
【００５２】
揺動アーム３が引き寄せられて、ガイドピン６がガイド孔３ａにおける渦巻き状に形成の円弧状部３ｂに臨在されると、該揺動アーム３がこの渦巻き状に形成の円弧状部３ｂに副って傾倒されるように揺動される。
【００５３】
このとき、ガイドピン６と枢着軸５との間における距離が揺動アーム３の旋回が進むに連れて徐々に小さくなり、窓本体Ｗと枠体Ｆとの間に配在のシール部材における弾発力に抗する軽い操作力で窓本体Ｗが枠体Ｆに対して徐々に密着されて水密性および気密性が高まる。
【００５４】
なお、窓の開閉操作に際して、操作部となるハンドル４が窓本体Ｗの上下方向の中央部に横方向に配在されているから、窓の下辺部に近隣して、たとえば、トイレの水タンク等が設けられるような場合にも、この水タンク等に邪魔されることなく、ハンドル４の引き上げおよび押し下げの各操作を障害なく実行でき、また、窓の上下における水密性および気密性が均一化される。
【００５５】
ところで、図示する実施の形態にあっては、揺動アーム３と枠体側ブラケット２との間に揺動停止機構が設けられてなり、該揺動停止機構が屋内側に引き寄せられたハンドル４を揺動アーム３を介して最下降させる揺動操作の終了時に所定の揺動停止機能を発揮するように設定されている。
【００５６】
少し説明すると、図５に示すように、揺動アーム３におけるガイド孔３ａの円弧状部３ｂの先端にガイドピン６が侵入し得るように設定されガイドピン６と共にこの実施の形態に言う揺動停止機構を構成する後退部３ｇを有している。
【００５７】
この後退部３ｇは、図５中で右側となる外側の湾曲した仮想線Ｙ１が図中で左方となる円弧状部３ｂを設定する外側の湾曲した延長線Ｙ２より外側に段差を有して突出することになるように設定されている。
【００５８】
それゆえ、下方の円弧状部３ｂを経由して来たガイドピン６は、最後に、後退部３ｇに侵入する、すなわち、落ち込むようになり、このときに、いわゆるクリック運動に類似する軽いショックが発生されることになる。
【００５９】
すなわち、上述したように、窓本体Ｗは、シール部材の弾発力による附勢力で常に開成傾向に附勢された状態で閉成状態におかれているから、ガイドピン６が下方の円弧状部３ｂから後退部３ｇにさしかかると、上記の附勢力が窓本体Ｗに作用していることで、強制的に後退部３ｇに落とし込まれる。
【００６０】
そしてこのとき、円弧状部３ｂと後退部３ｇとの間には、いわゆる段差が形成されているから、上記したいわゆるクリック運動に類似する軽いショックが発生されることになり、このことが、ハンドル４を把持する使用者に軽いショックとして伝達され、揺動アーム３を十分に倒したことを体感的に確認させ得ることになる。
【００６１】
したがって、上記の揺動停止機構を設けることで、たとえば、一般に非力とされる老人や婦女子等にあっても、大きい操作力を要求されることなく、窓本体Ｗが完全に閉成されたことを容易に確認できることになる。
【００６２】
また、窓本体Ｗは、シール部材の弾発力で開成傾向に附勢されているから、上記後退部３ｇに入り込んだガイドピン６は、容易にはこの後退部３ｇから脱出されず、したがって、地震等で揺動アーム３が揺動され、あるいは、外からの強風で窓本体Ｗが屋内側に押されるような状況になるとしても、簡単に揺動アーム３が揺動されず、結果として、簡単に窓が開くような不具合を予め排除できることにもなる。
【００６３】
【発明の効果】
以上のように、この発明にあっては、突き出し窓の上下方向の中央部を横切るように配在されるハンドルを引き起したり押し下げたりすることで窓の開成および閉成が可能とされるから、大きな操作力を要せず、しかも安全にして確実な解錠および施錠が可能になり、窓の下辺部に近隣して、たとえば、トイレの水タンク等が設けられるような場合にも、窓の開閉操作に際して、この水タンク等に邪魔されることなく、ハンドルの引き起こしおよび押し下げの各操作を障害なく実行できることになる。
【００６４】
また、引き起されたハンドルを屋外側に押し出したり、あるいは、押し出されたハンドルを屋内側に引き寄せたりする際に、その操作力がハンドルに連結の本体側部を介して窓本体の左右各部の中央部に作用することになるから、窓本体の左右各部の中央部に、たとえば、パンタ機構からなる支持機構が同レベルで配在されている場合でも、上記の操作力がこの支持機構に無理なく作用することになり、この支持機構の円滑な作動が可能になる。
【００６５】
そして、この発明にあっては、ハンドルに連結される揺動アームにおけるガイド孔の後端にストッパ部が設けられてなるから、窓本体を大きく開放した状態を恒久的に維持でき、上記ガイド孔に中間ストッパ部を設けてなる場合に、窓本体のいわゆる半開き状態に維持することが可能になる。
【００６６】
さらに、上記ガイド孔が先端に渦巻き状に形成の円弧状部を有してなるから、揺動アームの揺動操作たる窓の開閉操作が軽くなると共に窓における気密性および防水性を確保し易くなり、円弧状部の先端にガイドピンを侵入させ揺動停止機構を構成する後退部を有してなるから、窓を閉成状態にしたこと体感的に確認し得ると共に窓の閉成状態を外力作用や負圧作用等があっても容易に維持できることになる。
【００６７】
その結果、この発明によれば、突き出し窓における窓本体の枠体に対する施錠および解錠を可能にしながら窓本体を枠体に対して屋内側と屋外側との間でスライド移動させていわゆる窓の開閉を可能にするのはもちろんのこと、施錠および解錠の各操作を安全にし、また、窓本体の突き出しおよび引き寄せの各操作を容易にし得て、その汎用性の向上を期待するに最適となる。
【図面の簡単な説明】
【図１】この発明の一実施の形態による突き出し窓を閉成された状態で示す部分縦断面図である。
【図２】図１の突き出し窓を室内側から看る部分立面図である。
【図３】図１の突き出し窓が大きく開放された状態を示す部分縦断面図である。
【図４】図１の突き出し窓が大きく開成された状態を図３と同様に示す部分縦断面図である。
【図５】揺動アームの先端部に形成された揺動停止機構の構造を示す部分拡大正面図である。
【図６】窓本体と枠体とが支持機構で連繋された状態を原理的に示す斜視図である。
【図７】従来例としての突き出し窓におけるハンドル構造を屋内側から示す部分立面図である。
【符号の説明】
１  本体側ブラケット
２  枠体側ブラケット
３  揺動アーム
３ａ  ガイド孔
３ｄ  ストッパ部
３ｆ  中間ストッパ部
３ｇ  揺動停止機構を構成する後退部
４  ハンドル
６  ガイドピン
Ｆ  枠体
Ｓ  支持機構
Ｗ  窓本体
【図１】
0003778616.tif 000002
【図２】
0003778616.tif 000003
【図３】
0003778616.tif 000004
【図４】
0003778616.tif 000005
【図５】
0003778616.tif 000006
【図６】
0003778616.tif 000007
【図７】
0003778616.tif 000008